(57)【特許請求の範囲】
【請求項１】
可燃ガスと空気との混合ガスが放出される開放端を有する混合管と、
前記混合管に対して気密に接続され、前記混合管から放出される前記混合ガスが噴出する少なくとも一つの開口を表面に有するバーナーヘッドと、
前記バーナーヘッドから放出される前記混合ガスに着火するイグナイターと、を備える携帯用ガスコンロにおいて、
前記バーナーヘッドの周囲を囲む風防と、
前記バーナーヘッドの前記開口に対向して前記風防の一部に形成された着火用炎口とをさらに備え、
前記イグナイターは前記風防の外側において前記着火用炎口に対向して配置されていることを特徴とする携帯用ガスコンロ。
【請求項２】
前記着火用炎口は前記風防の一部に設けられた開口に張られたネットからなるものであることを特徴とする請求項１に記載の携帯用ガスコンロ。
【請求項３】
前記着火用炎口は前記風防の一部に設けられた複数のスリットからなるものであることを特徴とする請求項１に記載の携帯用ガスコンロ。
【請求項４】
前記着火用炎口は前記風防の領域の一部にランダムに設けられた複数の孔からなるものであることを特徴とする請求項１に記載の携帯用ガスコンロ。
【請求項５】
前記バーナーヘッドは平板と波板とを交互に重ね合わせた構造を有しており、前記混合ガスは前記平板と前記波板との間から水平方向に放出されるものであることを特徴とする請求項１乃至４の何れか一項に記載の携帯用ガスコンロ。
【発明の詳細な説明】
【０００１】
【発明の属する技術分野】
本発明はいわゆるアウトドア用の携帯用ガスコンロに関し、より詳細には、携帯用ガスコンロのバーナー着火構造に関する。
【０００２】
【従来の技術】
図３に従来の携帯用ガスコンロの一例を示す。
【０００３】
一般に、携帯用ガスコンロ１０は、可燃ガスが圧縮して詰められているガスカートリッジ１１と、このガスカートリッジ１１に着脱自在に取り付けられるガス燃焼器１２とからなる。ガスカートリッジ１１とガス燃焼器１２とはガスケット１３を介してシールした状態の下に取り付けられている。
【０００４】
ガス燃焼器１２は、ガスカートリッジ１１に連結され、ガスカートリッジ１１から供給される可燃ガスが通過する器具栓１４と、器具栓１４の内部に形成されているガス通過口の開口度を調節することにより器具栓１４の内部を通る可燃ガスの流量を調整するガス流量調整スピンドル１５と、表面に複数の炎口１６ａと、炎口１６ａよりも直径の大きい開口に張られた網状のネットからなる着火用炎口１６ｂとが形成されているバーナーヘッド１６と、器具栓１４とバーナーヘッド１６とを連結する混合管１７と、混合管１７に固着され、バーナーヘッド１６の上方に延びている複数個の五徳１８と、バーナーヘッド１６に形成されている着火用炎口１６ｂに対向するように、支持台１９ａ上に設けられている電気式イグナイター１９と、からなる。
【０００５】
以上のような構造を有する携帯用ガスコンロ１０は次のようにして使用される。
【０００６】
可燃ガスは加圧された状態でガスカートリッジ１１に装填されている。このため、ガス流量調整スピンドル１５によって器具栓１４の内部のガス通過口を開けると、加圧状態にある可燃ガスはガスカートリッジ１１から器具栓１４を介して混合管１７に進入する。すなわち、可燃ガスは、ガス流量調整スピンドル１５によって、ガス流量が調整された状態で混合管１７に進入する。
【０００７】
混合管１７には、複数の開口１７ａ（図３には一つのみ図示してある）が形成されており、可燃ガスが混合管１７の内部を通過する際に生じる負圧によって、開口１７ａから外部の空気が混合管１７の内部に吸引される。可燃ガスは開口１７ａから取り込まれた空気と混合し、可燃ガスと空気との混合ガスになる。
【０００８】
この混合ガスはバーナーヘッド１６の内部に進入した後、炎口１６ａ及び着火用炎口１６ｂから噴出する。着火用炎口１６ｂから噴出された混合ガスは電気式イグナイター１９により着火され、この着火によって、炎口１６ａから噴出した混合ガスも着火される。
【０００９】
このようにして、着火され、燃焼状態にある混合ガスは炎となって、五徳１８の上に載せられた被加熱物（なべ、やかん、食料品など）を加熱する。
【００１０】
【発明が解決しようとする課題】
着火用炎口１６ｂは、バーナーヘッド１６の表面に開口を設け、その開口に裏側から網状のネットを張り付けることにより形成される。
【００１１】
しかしながら、一般に、バーナーヘッド１６は小型の部品であるため、バーナーヘッド１６の表面に設けた開口に裏側から網状のネットを張り付けることは容易ではない。このため、バーナーヘッド１６を製造する工程は長い時間と大きな手間とを必要としていた。
【００１２】
本発明は、このような従来の携帯用ガスコンロのバーナー着火構造における問題点に鑑みてなされたものであり、着火用炎口の製造工程の短時間化及び単純化を図ることができる携帯用ガスコンロを提供することを目的とする。
【００１３】
【課題を解決するための手段】
この目的を達成するため、本発明のうち、請求項１は、可燃ガスと空気との混合ガスが放出される開放端を有する混合管と、混合管に対して気密に接続され、混合管から放出される混合ガスが噴出する少なくとも一つの開口を表面に有するバーナーヘッドと、バーナーヘッドから放出される混合ガスに着火するイグナイターと、を備える携帯用ガスコンロにおいて、バーナーヘッドの周囲を囲む風防と、バーナーヘッドの開口に対向して風防の一部に形成された着火用炎口とをさらに備え、イグナイターは風防の外側において着火用炎口に対向して配置されていることを特徴とする携帯用ガスコンロを提供する。
【００１４】
本請求項に係る携帯用ガスコンロによれば、バーナーヘッドの周囲に配置されている風防に着火用炎口が形成される。このため、従来の携帯用ガスコンロのように、小型部品であるバーナーヘッドの裏側からネットを張り付ける作業はもはや必要ではなく、より短時間に、かつ、より容易に着火用炎口を形成することが可能である。
【００１５】
着火用炎口は種々の形状に形成することが可能である。
【００１６】
例えば、請求項２に記載されているように、着火用炎口は風防の一部に設けられた開口に張られたネットとして形成することができる。
【００１７】
あるいは、請求項３に記載されているように、着火用炎口は風防の一部に設けられた複数のスリットから形成することもできる。
【００１８】
あるいは、請求項４に記載されているように、着火炎口は風防の領域の一部にランダムに設けられた複数の孔から形成することもできる。
【００１９】
請求項５に記載されているように、バーナーヘッドは平板と波板とを交互に重ね合わせた構造を有しており、混合ガスは平板と波板との間から水平方向に放出されるものとすることが好ましい。
【００２０】
バーナーヘッドをこのように構成することにより、混合ガスは、水平方向に、すなわち、風防に向かって噴出されることになる。このため、混合ガスは、風防に形成された着火用炎口に直角に進入することになるため、イグナイターによる着火を行いやすくすることができるとともに、着火用炎口に最短時間で到達するため、遅滞なく、混合ガスを着火させることができる。
【００２１】
【発明の実施の形態】
図１に本発明の一実施形態に係る携帯用ガスコンロを示す。
【００２２】
本実施形態に係る携帯用ガスコンロ２０は、可燃ガスが圧縮して詰められているガスカートリッジ２１と、ガスカートリッジ２１から供給される可燃ガスが通過する器具栓２２と、ガスカートリッジ２１と器具栓２２とを連結する可燃ガス通過パイプ２３と、器具栓２２の内部に形成されているガス通過口の開口度を調節することにより器具栓２２の内部を通る可燃ガスの流量を調整するガス流量調整スピンドル２４と、可燃ガスと空気との混合ガスとを噴出する、横断面が円形のバーナーヘッド２５と、器具栓２２とバーナーヘッド２５とを連結する混合管２６と、バーナーヘッド２５の周囲を囲むように形成されている有底環状の風防２７と、混合管２６に固着され、バーナーヘッド２５の上方に延びている複数個の五徳２８（図１においては、図１が複雑になることを避けるため、五徳２８は一つのみ図示している）と、風防２７に形成された円形の開口に張られた網状のネットからなる着火用炎口２９と、混合管２２が搭載されている支持台３０と、支持台３０に取り付けられ、風防２７の外側において着火用炎口２９に対向して配置されているイグナイター３１と、からなっている。
【００２３】
可燃ガス通過パイプ２３は、その一部がバーナーヘッド２５の上方をバーナーヘッド２５に近接して通過するように屈曲している。
【００２４】
図２は、バーナーヘッド２５の外周の構造を示す断面図である。
【００２５】
バーナーヘッド２５は、図２に示すように、平板２５ａと波板２５ｂとを交互に重ね合わせた構造を有している。後述するように、混合管２６を経て、バーナーヘッド２５の内部に供給された混合ガスは、平板２５ａと波板２５ｂとの間からバーナーヘッド２５の外部に水平に放出される。
【００２６】
風防２７の上縁は、バーナーヘッド２５の上面と同じ高さに、あるいは、バーナーヘッド２５の上面よりも高くなるように、設定されている。
【００２７】
支持台３０は、本携帯用ガスコンロ２０の下方に熱が伝わらないように遮熱板を兼ねており、ステンレスその他の鏡面板からつくられている。
【００２８】
以上のような構造を有する本実施形態に係る携帯用ガスコンロ２０は次のようにして使用される。
【００２９】
可燃ガスは加圧された状態でガスカートリッジ２１に装填されている。このため、ガス流量調整スピンドル２４によって器具栓２２の内部のガス通過口を開けると、加圧状態にある可燃ガスはガスカートリッジ２１から可燃ガス通過パイプ２３を経て、器具栓２２に進入する。
【００３０】
可燃ガス通過パイプ２３はその一部がバーナーヘッド２５に近接するように屈曲して形成されているため、可燃ガス通過パイプ２３の屈曲部分の内部を通過した可燃ガスはバーナーヘッド２５から噴出する炎の熱によって加熱されており、気化しやすくなっている。
【００３１】
器具栓２２には、空気取り入れ用開口２２ａが形成されており、可燃ガスが器具栓２２の内部を通過する際に生じる負圧によって、空気取り入れ用開口２２ａから外部の空気が器具栓２２の内部に吸引される。可燃ガスは空気取り入れ用開口２２ａから取り込まれた空気と混合し、可燃ガスと空気との混合ガスになる。
【００３２】
このように、可燃ガスは、ガス流量調整スピンドル２４によって、ガス流量が調整された状態で空気と混合した後、混合管２６に進入する。
【００３３】
混合管２６の周壁には、器具栓２２の開口端に対向して混合ガス衝突板２６ａが形成されており、器具栓２２から混合管２６の内部に放出された混合ガスは混合ガス衝突板２６ａに衝突し、拡散した後、混合管２６の内部を上昇する。
【００３４】
混合管２６の内部を上昇した混合ガスはバーナーヘッド２５の中心部においてバーナーヘッド２５の内部に進入した後、放射状にバーナーヘッド２５の外周に向かって進み、バーナーヘッド２５を構成している平板２５ａと波板２５ｂとの間からバーナーヘッド２５の外部に放出される。
【００３５】
バーナーヘッド２５の外部に放出された混合ガスのうち、着火用炎口２９の付近に存在している混合ガスはイグナイター３１によって着火される。このように、混合ガスの一部がイグナイター３１によって着火されることにより、その炎が伝播して、風防２７の中に充満している混合ガス全体が着火される。
【００３６】
このようにして、着火され、燃焼状態にある混合ガスは炎となって、五徳２８の上に載せられた被加熱物（なべ、やかん、食料品など）を加熱する。
【００３７】
以上のように、本実施形態に係る携帯用ガスコンロ２０によれば、バーナーヘッド２５の周囲に配置されている風防２７に着火用炎口２９が形成され、イグナイター３１は風防２７の外側において着火用炎口２９に対向して配置されている。このため、従来の携帯用ガスコンロのように、小型部品であるバーナーヘッドの裏側からネットを張り付ける作業はもはや必要ではなくなり、着火用炎口の製造工程を短時間化かつ単純化することが可能である。
【００３８】
また、バーナーヘッド２５は、混合ガスが水平方向に放出されるように、平板２５ａと波板２５ｂとの積層構造から形成されているため、放出された水平ガスの一部は最小時間をもって着火用炎口２９に達する。このため、遅滞なく、混合ガスに着火することが可能である。
【００３９】
さらに、混合ガスの着火後においては、着火用炎口２９は炎によって赤く発光するため、本携帯用ガスコンロの周囲が明るい場合でも、従来の携帯用ガスコンロのようにバーナーヘッドに着火用炎口が形成されている場合と比較して、混合ガスが着火していることを容易に目視することができ、従来の携帯用ガスコンロよりも安全性が向上している。
【００４０】
上記の実施形態においては、着火用炎口２９は風防２７に形成された円形の開口に張られた網状のネットとして形成されているが、風防２７の一部に複数のスリットを設けることにより形成することも可能である。あるいは、風防２７の一定の領域（例えば、円形の領域）内にランダムに複数の小孔を設けることにより形成することも可能である。
【００４１】
なお、上記の実施形態においては、燃料として、ガスカートリッジ２１から供給される可燃ガスを用いたが、霧化させたガソリンその他の可燃性液体燃料を用いることもできる。
【００４２】
【発明の効果】
以上のように、本発明に係る携帯用ガスコンロによれば、バーナーヘッドの周囲に配置されている風防に着火用炎口が形成され、イグナイターは風防の外側において着火用炎口に対向して配置されている。このため、従来の携帯用ガスコンロのように、小型部品であるバーナーヘッドの裏側からネットを張り付ける作業はもはや必要ではなくなり、着火用炎口の製造工程を短時間化かつ単純化することができる。
【００４３】
また、バーナーヘッドを平板と波板との積層構造とすることにより、混合ガスを水平方向に放出させることができるため、放出された水平ガスの一部は最小時間をもって着火用炎口に達する。このため、遅滞なく、混合ガスに着火することが可能である。
【００４４】
さらに、混合ガスの着火後においては、着火用炎口は炎によって赤く発光するため、本携帯用ガスコンロの周囲が明るい場合でも、従来の携帯用ガスコンロのようにバーナーヘッドに着火用炎口が形成されている場合と比較して、混合ガスが着火していることを容易に目視することができ、従来の携帯用ガスコンロよりも安全性を向上させることができる。
【図面の簡単な説明】
【図１】図１は本発明の一実施形態に係る携帯用ガスコンロの斜視図である。
【図２】図２はバーナーヘッドの縦断面図である。
【図３】従来の携帯用ガスコンロの正面図である。
【符号の説明】
２０  本発明の一実施形態に係る携帯用ガスコンロ
２１  ガスカートリッジ
２２  器具栓
２３  可燃ガス通過パイプ
２４  ガス流量調整スピンドル
２５  バーナーヘッド
２６  混合管
２７  風防
２８  五徳
２９  着火用炎口
３０  支持台
３１  イグナイター
２０  ガスカートリッジ
【図１】
0003602012.tif 000002
【図２】
0003602012.tif 000003
【図３】
0003602012.tif 000004